(57)【特許請求の範囲】
【請求項１】
記録媒体を搬送するための搬送経路と、
閉じた状態において前記搬送経路を覆う開閉可能なカバーと、
前記カバーに設けられ、該カバーが閉じた状態において前記搬送経路上の前記記録媒体に送風可能な複数の送風機と、
を有する記録装置において、
前記複数の送風機は千鳥状に配置されていることを特徴とする記録装置。
【請求項２】
請求項１に記載の記録装置において、
前記千鳥状の配置の、前記送風機が位置する第一部分と当該第一部分と隣り合う前記送風機が位置しない第二部分の双方の部分に対応する位置に、
吸気口が設けられていることを特徴とする記録装置。
【請求項３】
請求項１又は請求項２に記載の記録装置において、
前記カバーは、記録装置本体に回動可能に連結されており、
前記複数の送風機の一部が前記カバーの回動軸方向に沿う方向に並んだ第一送風機列と、前記第一送風機列よりも前記回動軸から遠い位置に位置し、前記複数の送風機の一部が前記回動軸方向に沿う方向に並んだ第二送風機列と、を有し、
前記第一送風機列に属する送風機の数は、前記第二送風機列に属する送風機の数よりも多いことを特徴とする記録装置。
【請求項４】
搬送経路上の記録媒体に画像を記録する記録方法であって、
閉じた状態において前記搬送経路を覆う開閉可能なカバーと、前記カバーに設けられ、該カバーが閉じた状態において前記搬送経路上の前記記録媒体に送風可能な複数の送風機と、を有し、前記複数の送風機が千鳥状に配置されている記録装置を用いて前記画像を記録することを特徴とする記録方法。
【発明の詳細な説明】
【技術分野】
【０００１】
本発明は、記録装置、及び、記録方法に関する。
【背景技術】
【０００２】
インクジェット式プリンター等の記録装置は既によく知られている。
【０００３】
かかる記録装置の中には、記録媒体を搬送するための搬送経路と、閉じた状態において前記搬送経路を覆う開閉可能なカバーと、前記カバーに設けられ、該カバーが閉じた状態において前記搬送経路上の前記記録媒体に送風可能な複数の送風機と、を有するものがある。
【先行技術文献】
【特許文献】
【０００４】
【特許文献１】特開２００９−３４９３１号公報
【発明の概要】
【発明が解決しようとする課題】
【０００５】
ところで、上記記録装置において、多くの送風機をカバーに設ければ、送風機により風を記録媒体上に満遍なく送ることができる。しかしながら、このようにすると、カバーに多くの送風機が設けられることに起因して、カバーのハンドリング性（例えば、カバーが重くてカバーの開閉に苦労する等）が悪くなる。かといって、カバーのハンドリング性を向上させるために送風機の数を減らすと、風を記録媒体上に満遍なく送れなくなる恐れがある。
【０００６】
本発明は、かかる課題に鑑みてなされたものであり、その目的とするところは、送風機による適切な送風を実現しつつ、カバーのハンドリング性を向上させることにある。
【課題を解決するための手段】
【０００７】
主たる本発明は、記録媒体を搬送するための搬送経路と、閉じた状態において前記搬送経路を覆う開閉可能なカバーと、前記カバーに設けられ、該カバーが閉じた状態において前記搬送経路上の前記記録媒体に送風可能な複数の送風機と、を有する記録装置において、前記複数の送風機は千鳥状に配置されていることを特徴とする記録装置である。  
本発明の他の特徴については、本明細書及び添付図面の記載により明らかにする。
【図面の簡単な説明】
【０００８】
【図１】プリンター１１の正面模式図である。
【図２】カバー３３が閉じた状態のプリンター１１の外観を示す斜視図である。
【図３】カバー３３が開いた状態のプリンター１１の外観を示す斜視図である。
【図４】プリンター１１の全体構成ブロック図である。
【図５】プラテン１７、連続紙Ｓ、軸流ファン３００、吸気口３１０（フィルター３２０）の、プリンター１１を真横から見たときの位置関係を示す模式図である。
【図６】プラテン１７、連続紙Ｓ、軸流ファン３００、吸気口３１０（フィルター３２０）の、プリンター１１を真上から見たときの位置関係を示す模式図である。
【発明を実施するための形態】
【０００９】
本明細書及び添付図面の記載により、少なくとも次のことが明らかにされる。
【００１０】
記録媒体を搬送するための搬送経路と、
閉じた状態において前記搬送経路を覆う開閉可能なカバーと、
前記カバーに設けられ、該カバーが閉じた状態において前記搬送経路上の前記記録媒体に送風可能な複数の送風機と、
を有する記録装置において、
前記複数の送風機は千鳥状に配置されていることを特徴とする記録装置。  
かかる記録装置によれば、送風機による適切な送風を実現しつつ、カバーのハンドリング性を向上させることが可能となる。
【００１１】
また、前記千鳥状の配置の、前記送風機が位置する第一部分と当該第一部分と隣り合う前記送風機が位置しない第二部分の双方の部分に対応する位置に、
吸気口が設けられていることとしてもよい。  
かかる場合には、送風機による、より適切な送風が実現されることとなる。
【００１２】
また、前記カバーは、記録装置本体に回動可能に連結されており、
前記複数の送風機の一部が前記カバーの回動軸方向に沿う方向に並んだ第一送風機列と、前記第一送風機列よりも前記回動軸から遠い位置に位置し、前記複数の送風機の一部が前記回動軸方向に沿う方向に並んだ第二送風機列と、を有し、
前記第一送風機列に属する送風機の数は、前記第二送風機列に属する送風機の数よりも多いこととしてもよい。  
かかる場合には、カバーのハンドリング性がより一層向上することとなる。
【００１３】
次に、搬送経路上の記録媒体に画像を記録する記録方法であって、
閉じた状態において前記搬送経路を覆う開閉可能なカバーと、前記カバーに設けられ、該カバーが閉じた状態において前記搬送経路上の前記記録媒体に送風可能な複数の送風機と、を有し、前記複数の送風機が千鳥状に配置されている記録装置を用いて前記画像を記録することを特徴とする記録方法。  
かかる記録方法によれば、送風機による適切な送風を実現しつつ、カバーのハンドリング性を向上させることが可能となる。
【００１４】
＝＝＝プリンター１１の構成例について＝＝＝
以下、本発明の記録装置をラテラル方式のインクジェット式プリンターに具体化した実施形態を図１乃至図６に基づいて説明する。図１は、プリンター１１の正面模式図である。図２は、カバー３３が閉じた状態のプリンター１１の外観を示す斜視図である。図３は、カバー３３が開いた状態のプリンター１１の外観を示す斜視図である。図４は、プリンター１１の全体構成ブロック図である。図５は、プラテン１７、連続紙Ｓ、軸流ファン３００、吸気口３１０（フィルター３２０）の、プリンター１１を真横から見たときの位置関係を示す模式図である。図６は、プラテン１７、連続紙Ｓ、軸流ファン３００、吸気口３１０（フィルター３２０）の、プリンター１１を真上から見たときの位置関係を示す模式図である。なお、以下の説明において、「前後方向」、「左右方向」、「上下方向」をいう場合は、図１乃至図３、図５、図６に矢印で示した方向を基準として示すものとする。
【００１５】
図１に示すように、記録装置としてのプリンター１１は、直方体状の本体ケース１２を備えている。本体ケース１２は、左右方向に沿って大きく３つに区分され、左側から右側に向かって繰り出し部１３、印刷部１４、巻き取り部１５となっている。また、本体ケース１２内における上下方向の中央部よりもやや上寄りの位置には、本体ケース１２内を上下に区画する平板状の基台１６が設けられている。
【００１６】
基台１６上の印刷部１４と対応する位置には、矩形板状剛体の支持部であるプラテン１７が配置されている。また、本体ケース１２内には、長尺状の記録媒体の一例としての連続紙Ｓを搬送するための搬送ユニット１８が収容されている。
【００１７】
搬送ユニット１８は、前後方向に延びる巻き軸２０、ローラー２１〜２５及び巻き取り軸２６と、巻き取り軸２６を回転させるための搬送モーター２７とを備えている。巻き軸２０及びローラー２１は繰り出し部１３内に、ローラー２２〜２５及び搬送モーター２７は印刷部１４内に、巻き取り軸２６は巻き取り部１５内に収容されている。
【００１８】
連続紙Ｓは、左端側が巻き軸２０に右端側が巻き取り軸２６にそれぞれ巻かれた状態で、ローラー２１〜２５に巻き掛けられている。そして、搬送モーター２７の回転駆動に伴って、連続紙Ｓを搬送するための搬送経路の一例としてのプラテン１７の上面からなる支持面１７ａ上を摺動しつつ、繰り出し部１３側から巻き取り部１５側に向かって搬送されるようになっている。
【００１９】
印刷部１４内において、プラテン１７の前後両側には、左右方向に延びるガイドレール２８（図１では２点鎖線で示す）が対をなすように設けられている。ガイドレール２８の上面はプラテン１７の上面よりも高くなっており、両ガイドレール２８の上面には、矩形状のキャリッジユニット２９が不図示の駆動機構の駆動に基づき両ガイドレール２８に沿って左右方向への往復移動可能な状態で支持されている。そして、このキャリッジユニット２９の下面側にはヘッドユニット３０が支持されている。
【００２０】
プラテン１７の左端から右端までの一定範囲は記録領域とされており、この記録領域単位で連続紙Ｓは間欠的に搬送されるようになっている。そして、この記録領域単位での間欠搬送によってプラテン１７上に停止した状態にある連続紙Ｓに対してキャリッジユニット２９の往復移動に伴いヘッドユニット３０の下面側に設けられたノズル（図示略）からインクが噴射されることで、連続紙Ｓに対して記録処理が施されるようになっている。
【００２１】
プラテン１７の支持面１７ａの下方には、支持面１７ａを加熱するためのヒーターユニット３１が内蔵されている。そして、ヒーターユニット３１によって加熱された支持面１７ａを介して連続紙Ｓに熱を伝えることにより、連続紙Ｓに付着したインクの乾燥を促進するようになっている。また、プラテン１７及びキャリッジユニット２９の上方には、送風ユニット３２が配置されている。
【００２２】
本体ケース１２において、印刷部１４に対応する上側部分には、開閉可能なカバー３３が設けられており、当該カバー３３に送風ユニット３２が設けられている。カバー３３は、閉じた状態において、連続紙Ｓを搬送するための搬送経路の一例としてのプラテン１７を覆うようになっている。なお、送風ユニット３２については、後に詳述する。
【００２３】
図２及び図３に示すように、カバー３３は自重に抗した持ち上げ動作によって開くように構成されており、閉状態において前面側となる部分に持ち手３８が取り付けられているとともに、後端側には本体ケース１２に対してカバー３３を回動可能に連結するヒンジ部３９が設けられている。つまり、カバー３３は、プリンター本体に回動可能に連結されている。ヒンジ部３９には、カバー３３を開方向に向かって付勢することで、カバー３３の自重を軽減して持ち上げ動作を補助する動作補助手段としてのばね（図示略）が内蔵されている。
【００２４】
また、本体ケース１２の閉状態にあるカバー３３の前端と当接する部分には係止部４１（図３参照）が設けられている一方、カバー３３の前端には係止部４１に先端が入脱する係止片（図示略）が設けられている。そして、カバー３３がばねの付勢力に抗して閉状態とされた場合には、係止片が係止部４１に係止されることで、カバー３３が閉状態に保持されるようになっている。
【００２５】
次に、本実施の形態に係るプリンター１１の制御構成について、図４を用いて説明する。外部装置６０から印刷指令（印刷データ）を受信したプリンター１１は、コントローラー１１０により、各ユニット（搬送ユニット１８、キャリッジユニット２９、ヘッドユニット３０、ヒーターユニット３１、送風ユニット３２）を制御し、連続紙Ｓに画像を記録する。また、プリンター１１内の状況を検出器群１５０が監視し、その検出結果に基づいて、コントローラー１１０は各ユニットを制御する。
【００２６】
コントローラー１１０は、プリンター１１の制御を行うための制御ユニットである。インターフェース部１１１は、外部装置６０とプリンター１１との間でデータの送受信を行うためのものである。ＣＰＵ１１２は、プリンター１１全体の制御を行うための演算処理装置である。メモリー１１３は、ＣＰＵ１１２のプログラムを格納する領域や作業領域等を確保するためのものである。ＣＰＵ１１２は、メモリー１１３に格納されているプログラムに従ったユニット制御回路１１４により各ユニットを制御する。
【００２７】
＜＜＜送風ユニット３２について＞＞＞
次に、送風ユニット３２について、図２、図３、図５、図６を用いて詳しく説明する。
【００２８】
送風ユニット３２は、送風機の一例としての軸流ファン３００と、吸気口３１０と、フィルター３２０とを備えている。
【００２９】
軸流ファン３００は、回転することにより、プラテン１７上の連続紙Ｓに風を送って（送風して）、連続紙Ｓに着弾されたインクを乾燥させるためのものである。この軸流ファン３００は、図３に示すように、前述したカバー３３に（より具体的には、カバー３３の内面側に）、支持フレーム３６に支持される態様で、複数設けられている。
【００３０】
そして、この各々の軸流ファン３００は、カバー３３が閉じた際に、プラテン１７の上方に位置して、当該プラテン１７の支持面１７ａ（換言すれば、当該プラテン１７上の連続紙Ｓ）と対向し（図５参照）、一方で、カバー３３が開いた際に、プラテン１７の上方から退避した位置に位置するようになっている（図３参照）。また、軸流ファン３００は、図５に示すように、カバー３３が閉じた際に、支持面１７ａに対する送風方向が支持面１７ａに対して垂直方向となるように軸方向が当該垂直方向に沿う状態で、カバー３３に取り付けられている。そのため、軸流ファン３００は、カバー３３が閉じた状態において、プラテン１７の支持面１７ａ（換言すれば、当該プラテン１７上の連続紙Ｓ）に送風可能となっている。
【００３１】
本実施の形態においては、軸流ファン３００が５つ設けられている。そして、この５つの軸流ファン３００（第一軸流ファン３００ａ、第二軸流ファン３００ｂ、第三軸流ファン３００ｃ、第四軸流ファン３００ｄ、第五軸流ファン３００ｅ）は、図３及び図６に示すように、千鳥状に配置されている。すなわち、図６に示すように、軸流ファン３００（例えば、第一軸流ファン３００ａ）が位置する第一部分４００と、隣り合う第二部分４１０には、軸流ファン３００は位置していない。逆に、軸流ファン３００が位置しない当該第二部分４１０（例えば、図６において、符号４１０ａで示される部分）と隣り合う部分には、軸流ファン３００（例えば、第一軸流ファン３００ａ、第二軸流ファン３００ｂ、第三軸流ファン３００ｃ）が位置している。
【００３２】
また、前述したとおり、軸流ファン３００が設けられているカバー３３はプリンター本体に回動可能に連結されているが、当該カバー３３の回動軸４０(換言すれば、ヒンジ部３９)に近い側により多くの軸流ファン３００が配置されている。すなわち、本実施の形態に係る送風ユニット３２は、図６に示すように、複数の軸流ファン３００の一部がカバー３３の回動軸方向（本実施の形態においては、左右方向）に沿う方向に並んだ第一送風機列の一例としての第一ファン列３０２と、当該第一ファン列３０２よりも前記回動軸４０から遠い位置に位置し、前記複数の軸流ファン３００の一部がカバー３３の回動軸方向（本実施の形態においては、左右方向）に沿う方向に並んだ第二送風機列の一例としての第二ファン列３０４と、を有し、第一ファン列３０２に属する軸流ファン３００の数（本実施の形態においては、第一軸流ファン３００ａ、第四軸流ファン３００ｄ、第五軸流ファン３００ｅの３個）は、第二ファン列３０４に属する軸流ファン３００の数（本実施の形態においては、第二軸流ファン３００ｂ、第三軸流ファン３００ｃの２個）よりも多くなっている。
【００３３】
吸気口３１０は、軸流ファン３００が連続紙Ｓに送風する際の空気をプリンター１１の外部から取り入れるための取り入れ口である。この吸気口３１０は、図２に示すように、前述したカバー３３に（より具体的には、カバー３３の外面側に）、複数設けられている。
【００３４】
吸気口３１０は、千鳥状の配置の前記第一部分４００（軸流ファン３００が位置する第一部分４００）に対応する位置に、換言すれば、カバー３３が閉じた状態において第一部分４００（軸流ファン３００）の上方位置に、設けられているが、ここだけではなく、千鳥状の配置の前記第二部分４１０（軸流ファン３００が位置しない第二部分４１０）に対応する位置にも、換言すれば、カバー３３が閉じた状態において第二部分４１０の上方位置にも、設けられている。本実施の形態においては、図６に示すように、５つの吸気口３１０が左右方向に並ぶように設けられており、第一吸気口３１０ａが、第一軸流ファン３００ａ及び当該第一軸流ファン３００ａと前後方向において隣り合う第二部分４１０に対応する位置に、第二吸気口３１０ｂが、第二軸流ファン３００ｂ及び当該第二軸流ファン３００ｂと前後方向において隣り合う第二部分４１０に対応する位置に、第三吸気口３１０ｃが、第三軸流ファン３００ｃ及び当該第三軸流ファン３００ｃと前後方向において隣り合う第二部分４１０に対応する位置に、第四吸気口３１０ｄが、第四軸流ファン３００ｄ及び当該第四軸流ファン３００ｄと前後方向において隣り合う第二部分４１０に対応する位置に、第五吸気口３１０ｅが、第五軸流ファン３００ｅ及び当該第五軸流ファン３００ｅと前後方向において隣り合う第二部分４１０に対応する位置に、それぞれ設けられている。このように、本実施の形態に係る吸気口３１０は、軸流ファン２個分（軸流ファンの２倍分）に対応した面積を有している。
【００３５】
フィルター３２０は、吸気口３１０を通過する空気中のゴミ等を除去して、乾燥する前のインクに当該ゴミ等が付着しないようにするためのものである。このフィルター３２０は、カバー３３の外側に露出する態様で、吸気口３１０に（具体的には、第一吸気口３１０ａ、第二吸気口３１０ｂ、第三吸気口３１０ｃ、第四吸気口３１０ｄ、第五吸気口３１０ｅの各々に）着脱可能に設けられている。
【００３６】
そして、本実施の形態において、かかる送風ユニット３２は、以下のように動作する。すなわち、当該送風ユニット３２の軸流ファン３００は、プリンター１１が作動している状態で、インクが噴射されることによる前記記録処理が実行されているか否かに関わらず、連続的に（非間欠的に）回転する。そして、このことにより、プリンター１１の外部から吸気口３１０を介して空気が取り入れられつつ（また、空気中のゴミ等はフィルターで除去されつつ）、プラテン１７上の連続紙Ｓに風が送られる。そして、記録処理中や記録処理後には、プラテン１７上の連続紙Ｓに送風されて、連続紙Ｓに着弾されたインクが適切に乾燥することとなる。なお、図５に示すように、軸流ファン３００はキャリッジユニット２９よりも上方に配置されており、一方、ヘッドユニット３０は当該キャリッジユニット２９よりも下方に配置されている。そのため、ヘッドユニット３０から噴射されるインクは、キャリッジユニット２９が風除けとなり、飛行曲がり等を起こさずに適切に連続紙Ｓへ向かうようになっている。
【００３７】
＝＝＝本実施の形態に係るプリンター１１の有効性について＝＝＝
上述したとおり、本実施の形態に係るプリンター１１は、連続紙Ｓを搬送するための搬送経路の一例としてのプラテン１７と、閉じた状態においてプラテン１７を覆う開閉可能なカバー３３と、カバー３３に設けられ、当該カバー３３が閉じた状態においてプラテン１７上の連続紙Ｓに送風可能な複数の軸流ファン３００と、を有しており、当該複数の軸流ファン３００は千鳥状に配置されている。そして、このことにより、軸流ファン３００による適切な送風を実現しつつ、カバー３３のハンドリング性を向上させることが可能となる。
【００３８】
上記につき、本実施の形態に係るプリンター１１と比較例に係るプリンター１１とを比較しながら説明する。比較例に係るプリンター１１は、前記第一部分４００だけでなく前記第二部分４１０にも軸流ファン３００が設けられている（すなわち、図６において、５箇所の第二部分４１０にも軸流ファン３００が設けられ、合計１０個の軸流ファン３００が備えられている）プリンターである。
【００３９】
比較例に係るプリンター１１においては、多くの（１０個もの）軸流ファン３００がカバー３３に設けられているため、軸流ファン３００により風を連続紙Ｓ上に満遍なく送ることができる。しかしながら、カバー３３に多くの軸流ファン３００が設けられることに起因して、カバー３３のハンドリング性（例えば、カバー３３が重くてカバー３３の開閉に苦労する等）が悪くなっていた。
【００４０】
これに対し、本実施の形態に係るプリンター１１では、カバー３３のハンドリング性を向上させるために、比較例に係るプリンター１１と比べて、軸流ファン３００の数を少なくすることとしたが、減らし方に工夫を施した。すなわち、軸流ファン３００の数を少なくしても、風が連続紙Ｓ上に満遍なく送られるように、複数の軸流ファン３００が千鳥状に配置されるように軸流ファン３００を減らすこととした。
【００４１】
このように、本実施の形態に係るプリンター１１においては、複数の軸流ファン３００が千鳥状に配置されるようにしたため、風が連続紙Ｓ上に満遍なく送られ、軸流ファン３００による適切な送風が実現されることとなる。そして、このことに加えて、千鳥状の配置の、軸流ファン３００が位置しない前記第二部分４１０が、形成されることとなり、カバー３３のハンドリング性が向上する。また、軸流ファン３００による騒音が軽減されるという効果も生ずる。
【００４２】
また、本実施の形態に係るプリンター１１においては、前記千鳥状の配置の、軸流ファン３００が位置する第一部分４００と当該第一部分４００と隣り合う軸流ファン３００が位置しない第二部分４１０の双方の部分に対応する位置に、吸気口３１０が設けられていることとした。具体的には、軸流ファン３００と吸気口３１０の完全な一対一対応（軸流ファン３００のあるところには吸気口３１０があり、ないところにはない）を崩すことにより、本実施の形態に係る吸気口３１０が、軸流ファン２個分（軸流ファンの２倍分）に対応した面積を有するようにした。そして、かかる工夫により、吸気口３１０から多くの空気が吸い込まれることとなり、十分な風速を得ることが可能となる（前述した比較例と比較した場合には、かかる工夫により、当該比較例とほぼ同等の風速を得ることができる）。したがって、軸流ファン３００による、より適切な送風が実現されることとなる。
【００４３】
また、本実施の形態に係るプリンター１１は、複数の軸流ファン３００の一部がカバー３３の回動軸方向に沿う方向に並んだ第一ファン列３０２と、第一ファン列３０２よりも回動軸から遠い位置に位置し、複数の軸流ファン３００の一部がカバー３３の回動軸方向に沿う方向に並んだ第二ファン列３０４と、を有し、第一ファン列３０２に属する軸流ファン３００の数は、第二ファン列３０４に属する軸流ファン３００の数よりも多いこととした。具体的には、第一ファン列３０２に属する軸流ファン３００の数、第二ファン列３０４に属する軸流ファン３００の数を、それぞれ、２個、３個（図６において、逆Ｗ型）とするのでなく、第一ファン列３０２に属する軸流ファン３００の数、第二ファン列３０４に属する軸流ファン３００の数を、それぞれ、３個、２個（図６において、Ｗ型）とした。そのため、カバー３３の重心をより回転軸に近い側へ位置させることができ、カバー３３のハンドリング性がより一層向上することとなる（例えば、カバー３３が勢いよく閉まってしまうことを抑止することが可能となる）。
【００４４】
＝＝＝その他の実施の形態＝＝＝
上記の実施の形態は、主として記録装置について記載されているが、記録方法等の開示も含まれている。また、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００４５】
上記実施の形態においては、記録装置をインクジェット式プリンターに具体化したが、インク以外の他の液体を噴射したり吐出したりする液体噴射装置を採用してもよく、微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状態、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルタの製造などに用いられる電極材や色材などの材料を分散又は溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサ等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうち何れか一種の噴射装置に本発明を適用することができる。
【００４６】
また、上記実施の形態においては、送風機として軸流ファン３００を例に挙げて説明したが、これに限定されるものではなく、他のファンでもよい。また、ファンに限定されるものではなく、例えば、ブロワーであってもよい。
【００４７】
また、上記実施の形態においては、記録媒体として連続紙Ｓを例に挙げて説明したが、これに限定されるものではなく、例えば、長尺状のプラスチックフィルムや布であってもよい。
【００４８】
また、上記実施の形態においては、ファン列は全部で第一ファン列３０２と第二ファン列３０４の二列のみしかないこととしたが、これに限定されるものではない。例えば、ファン列が３列以上あってもよい。そして、そのうちの二列が、前述した第一ファン列３０２と第二ファン列３０４に係るファン数についての要件を満たしていてもよい。
【符号の説明】
【００４９】
１１  プリンター、１２  本体ケース、１３  繰り出し部、１４  印刷部、１５  巻き取り部、１６  基台、１７  プラテン、１７ａ  支持面、１８  搬送ユニット、２０  巻き軸、２１  ローラー、２２  ローラー、２３  ローラー、２４  ローラー、２５  ローラー、２６  巻き取り軸、２７  搬送モーター、２８  ガイドレール、２９  キャリッジユニット、３０  ヘッドユニット、３１  ヒーターユニット、３２  送風ユニット、３３  カバー、３６  支持フレーム、３８  持ち手、３９  ヒンジ部、４０  回動軸、４１  係止部、６０  外部装置、１１０  コントローラー、１１１  インターフェース部、１１２  ＣＰＵ、１１３  メモリー、１１４  ユニット制御回路、１５０  検出器群、３００  軸流ファン、３００ａ  第一軸流ファン、３００ｂ  第二軸流ファン、３００ｃ  第三軸流ファン、３００ｄ  第四軸流ファン、３００ｅ  第五軸流ファン、３０２  第一ファン列、３０４  第二ファン列、３１０  吸気口、３１０ａ  第一吸気口、３１０ｂ  第二吸気口、３１０ｃ  第三吸気口、３１０ｄ  第四吸気口、３１０ｅ  第五吸気口、３２０  フィルター、４００  第一部分、４１０  第二部分、４１０ａ  第二部分、Ｓ  連続紙
【図１】
0005482531.tif 000002
【図２】
0005482531.tif 000003
【図３】
0005482531.tif 000004
【図４】
0005482531.tif 000005
【図５】
0005482531.tif 000006
【図６】
0005482531.tif 000007